(57)【要約】【課題】  製造コストをより低廉化することができるとともに、洗濯物を洗濯ネット内に収納したまま屋外で干す場合に、気づかいなく安心して干すことができる、洗濯物を種類ごとに分別収納する複数の収納部を有する洗濯ネットを実現する。【解決手段】  ネット材からなる、四方の端部が縫着された袋体を、最も外側のネット袋１１とする。このネット袋１１の上部に開閉用のファスナー２１を取り付け、上部両端部に掛止紐３１ａ，３１ｂを取り付ける。上部に開口部を有するように上端を除く三方の端部が縫着されて袋体に形成され、かつ、上部の開口部を覆う蓋を有する２つのネット袋を、最も外側のネット袋１１の内側に順次内包する。【選択図】        図１
2007244793.tif 000002
【特許請求の範囲】
【請求項１】
少なくとも２つのネット袋（１１，１２，１４）が順次内包して形成される多重の袋体であって、前記少なくとも２つのネット袋のうちの最も外側のネット袋（１１）の上部に開閉用の１つのファスナー（２１）および前記袋体を掛止するための掛止紐（３１５ａ，３１ｂ）が取り付けられるとともに、前記最も外側のネット袋の内側に順次内包されるネット袋（１２，１４）が上部に開口部（１６）を有するものである洗濯ネット。
【請求項２】
前記少なくとも２つのネット袋（１１，１２，１４）が、前記最も外側のネット袋（１１）は最も大きい網目のネット材からなり、内包されるネット袋は内側になるほど小さい網目のネット材からなる請求項１記載の洗濯ネット。
【請求項３】
前記最も外側のネット袋の内側に順次内包されるネット袋（１２，１４）が、前記開口部（１６）を覆う蓋（１３，１５）を有するものである請求項１または２記載の洗濯ネット。
【発明の詳細な説明】
【技術分野】
【０００１】
本発明は洗濯ネットに関する。より詳しくは、洗濯物を種類ごとに分けて収納する複数の収納部を有する電気洗濯機用の洗濯ネットであって、製造コストをより低減することができるとともに、洗濯物を洗濯ネット内に収納したまま屋外で干す場合に、気づかいなく安心して干すことができる洗濯ネットを提供せんとするものである。
【背景技術】
【０００２】
電気洗濯機により衣類などを洗濯する場合、袋状の洗濯ネット内に洗濯物を収納し、これを電気洗濯機の洗濯槽内に投入して洗濯することが行われている。その場合、洗濯物の種類を問わずまとめて洗濯物を洗濯ネット内に収納して洗濯をすると、洗濯槽内の回転する水流により、例えば、女性用の長尺のストッキングとブラジャーの紐とが絡み合ったり、あるいは、ストッキングが他の衣類のホックなどに引っ掛かって破れてしまうことがある。
【０００３】
そこで、洗濯物の種類に応じて洗濯物を分けて収納する複数の収納部を有する洗濯ネットが、従来より提案されており、その一例を図６に示し説明する。ここで、図６は、この従来例の外観を示す斜視図である。
【０００４】
図６において、洗濯ネット５０は、３枚の方形状のネット材５１ａ〜ｃを重ね合わせたうえで、破線Ｓで示すように、上端部を除く三方の端部を縫着することにより形成されている。したがって、洗濯ネット５０は、図７（図６のＡ−Ａ線に沿う断面図）に示すように、洗濯物を収納する２つの洗濯物収納部５３ａ，５３ｂを有している。
【０００５】
また、縫着されていない各ネット材５１ａ〜ｃの上端間には、各洗濯物収納部５３ａ，５３ｂ（図７）の上部を開閉するためのファスナー５２ａ，５２ｂが、それぞれ取り付けられている。
【０００６】
そこで、このように構成された洗濯ネット５０を使用して洗濯をする場合は、例えば、他の衣類のホックなどに引っ掛かって破れてしまうおそれのあるストッキングは、一方の洗濯物収納部５３ａ内に収納してファスナー５２ａにより洗濯物収納部５３ａの上部を閉じる。これに対して、ホック類が取り付けられた衣類は、他方の洗濯物収納部５３ｂ内に収納してファスナー５２ｂにより洗濯物収納部５３ｂの上部を閉じる。
【０００７】
このようにして各洗濯物収納部５３ａ，５３ｂ内にそれぞれ洗濯物が収納された洗濯ネット５０を、電気洗濯機の洗濯槽内に投入すれば、洗濯機を駆動しても、ホック類が取り付けられた衣類が、ストッキングが収納された洗濯物収納部５３ａ内に移動して混入することはない。したがって、衣類に取り付けられたホック類によってストッキングが破れるということもない。
【０００８】
なお、図６では、３枚のネット材５１ａ〜ｃを用いる場合が示されているが、より多くのネット材を用いれば、洗濯物収納部もより多くなり、洗濯物の種類に応じてより細かく分別して収納できることになる。
【特許文献１】特開２０００−２４５９９２号公報
【発明の開示】
【発明が解決しようとする課題】
【０００９】
しかしながら、図６に示した従来例によると、つぎのような解決すべき課題がある。すなわち、第１に、この従来例では、洗濯物収納部５３ａ，５３ｂの数に応じた数のファスナー５２ａ，５２ｂを用いなければならず、洗濯物収納部をより多くしようとすると、その分用いるファスナーの数も多くなる結果、製造コストが高くなってしまうことになる。
【００１０】
第２に、洗濯が終了した洗濯物を洗濯ネットに収納したまま屋外で干した場合、他人に見られたくない、あるいは、盗まれるおそれがある洗濯物が、外部からネット材を通して判別されてしまう。このことは、例えば、４枚のネット材を用いて３つの洗濯物収納部を形成し、中央の洗濯物収納部内に外部から判別されたくない洗濯物を収納したとしても、同じである。
【００１１】
すなわち、洗濯ネットの厚さ方向（ファスナーの幅方向）からは、他の洗濯物収納部に収納された洗濯物に遮られて、判別されたくない洗濯物を判別することはできないが、洗濯ネットの幅方向（ファスナーの長さ方向）からは判別されてしまうことになる。これを防ぐために、判別されたくない洗濯物の周囲に、遮蔽物として判別されても差し支えない洗濯物を入れるという煩瑣な手段も採られている。以上のような解決すべき課題が、図６に示した従来例にはあった。
【課題を解決するための手段】
【００１２】
そこで、上記課題に照らし、本発明はなされたものである。そのために、本発明では、少なくとも２つのネット袋を用いて、ネット袋が順次内包されて多重の袋体を形成するようにする。最も外側のネット袋の上部に開閉用のファスナーを取り付けるとともに、上部両端部に物干し竿などに洗濯ネットを掛止するための掛止紐を取り付ける。このネット袋の内側に順次内包されるネット袋は、上部に開口部を有するようにする。以上のような手段を用いるようにした。
【発明の効果】
【００１３】
本発明によるならば、図６に示した従来例とは異なり、用いるファスナーは単一であるので、洗濯ネットの製造コストの低廉化を図ることができる。
【００１４】
また、最も内側のネット袋内に、他人に見られたくない、あるいは、盗まれるおそれがある洗濯物を収納することにより、洗濯が終了した後に、洗濯ネット内に洗濯物を収納したまま、屋外で干したとしても、他人に見られたくない、あるいは、盗まれるおそれがある洗濯物は、その外側の各ネット袋のネット材および外側に収納された洗濯物に遮られて、いかなる洗濯物が収納されているのかは、外部から判別することはできない。すなわち、気づかいなく安心して洗濯ネット内に洗濯物を収納したまま、屋外で干すことが可能となる。
【００１５】
なお、本発明による洗濯ネットは、洗濯時に利用する以外に、例えば、一定期間にわたる旅行をする場合に、着替え用の下着や履き替え用の靴下などを分別収納して携行する手段としても利用することができる。したがって、本発明による効果は、実用上極めて大きい。
【発明を実施するための最良の形態】
【００１６】
本発明では、少なくとも２つのネット袋を用いて、ネット袋が順次内包されて多重の袋体を形成するようにするとともに、最も外側のネット袋にのみ開閉用の１つのファスナーを取り付け、内側に内包されるネット袋は、上部に開口部を有するようにする。以下、実施例により詳しく説明する。
【実施例１】
【００１７】
本発明の一実施例の構成を、図１に示し説明する。ここで、図１は、本実施例における洗濯ネットの外観を示す斜視図である。
【００１８】
図１において、１１は、ネット材からなる、四方の端部が縫着された袋状のネット袋であり、上端よりやや下方の部位に、開閉用のファスナー２１が取り付けられ、上部の両端部に、洗濯ネット１０を物干し竿などに掛止するための掛止紐３１ａ，３１ｂが取り付けられている。
【００１９】
このようなネット袋１１の内側には、図２（図１のＡ−Ａ線に沿う中間部分を省略した断面図）に示すように、サイズが若干小さいネット袋１２が内包され、その内側には、さらに小さいサイズのネット袋１４が内包されている。すなわち、本実施例における洗濯ネット１０は、各ネット袋１２，１４が最も外側のネット袋１１の内側に順次内包されて、３重の袋体となるように形成されている。
【００２０】
順次内包されるネット袋１２，１４は、上端を除く三方の端部が縫着され、したがって、上部が開口しており、図３（斜視図）に示すように、開口部１６は、蓋１３により覆われるようになっている。この蓋１３は、ネット袋１２内に収納された洗濯物が、洗濯時に開口部１６より飛び出すのを防ぐためのものである。なお、図３では、１つのネット袋１２の構成についてのみ図示したが、もう１つのネット袋１４も、上端を除く三方の端部が縫着され、上部の開口部が蓋により覆われるようになっている構成は同じである。
【００２１】
以上の３つのネット袋１１，１２，１４は、図４に示すように、最も外側のネット袋１１に最も大きい網目のネット材を用い、順次内側になるほど網目が小さいネット材を用いている。これは、洗濯水や洗剤が内側のネット袋１２，１４内に進入し易くするためである。
【００２２】
また、３つのネット袋１１，１２，１４は、図５（ａ）（正面図）に示すように、端部４箇所において、図５（ｂ）（断面図）に示すように、各ネット袋１１，１２，１４を貫通する止め具４１ａ〜ｄにより、相互に固定されている。
【００２３】
以上のように構成された洗濯ネット１０を使用する場合は、最も内側のネット袋１４内に、他人に見られたくない、あるいは、盗まれるおそれがある洗濯物を収納する。最も内側のネット袋１４と、その外側のネット袋１２との間の空隙部内に、例えば、衣類に取り付けられたホック類に引っ掛かって破れるおそれがあるストッキングを収納する。このネット袋１２と、その外側のネット袋１１との間の空隙部内に、ホック類が取り付けられた衣類を収納する。
【００２４】
このように、各ネット袋１１，１２，１４ごとに洗濯物を分別収納して洗濯機により洗濯すれば、衣類に取り付けられたホック類にストッキングが引っ掛かって破れることもない。また、洗濯が終了した後に、洗濯ネット１０内に洗濯物を収納したまま、屋外で干したとしても、他人に見られたくない、あるいは、盗まれるおそれがある洗濯物は、その外側の各ネット袋１１，１２のネット材および外側に収納された洗濯物に遮られて、いかなる洗濯物が収納されているのかは、外部から判別することは不可能となる。したがって、気づかいなく安心して洗濯ネット１０内に洗濯物を収納したまま、屋外で干すことができることになる。
【００２５】
以上においては、３つのネット袋１１，１２，１４を用いる場合を例に挙げて説明した。しかし、本発明は、これに限定されるものではない。その他にも、例えば、４つのネット袋を用いる場合、あるいは２つのネット袋を用いる場合にも、本発明は適用され得るものである。すなわち、少なくとも２つのネット袋を用いる場合に、本発明は適用することができるものである。
【００２６】
また、最も外側のネット袋１１において、その上端よりやや下方の部位に開閉用のファスナー２１を取り付ける場合について説明したが、本発明は、これに限られるものではない。内側に内包されるネット袋１２，１４上部の開口部１６（図３）と同位置またはそれよりも上方の部位に、ファスナー２１を取り付けるものであればよく、例えば、ネット袋１１の上端部にファスナー２１を取り付けるようにしてもよい。
【００２７】
さらに、最も外側のネット袋１１の上部両端部に、２つの掛止紐３１ａ，３１ｂを取り付ける場合について説明したが、単一の掛止紐を取り付けるようにしてもよい。
【図面の簡単な説明】
【００２８】
【図１】本発明の一実施例の外観を示す斜視図である。
【図２】図１のＡ−Ａ線に沿う中間部分を省略した断面図である。
【図３】図２に示した、最も外側のネット袋の内側に内包されるネット袋の斜視図である。
【図４】図２に示した３つのネット袋の網目の大きさを説明するための説明図である。
【図５】図２に示した３つのネット袋の固定方法を説明するための説明図である。
【図６】従来例の外観を示す斜視図である。
【図７】図６のＡ−Ａ線に沿う断面図である。
【符号の説明】
【００２９】
１０  洗濯ネット
１１，１２，１４  ネット袋
１３，１５  蓋
１６  開口部
２１  ファスナー
３１ａ，３１ｂ  掛止紐
４１ａ〜４１ｄ  止め具
５０  洗濯ネット
５１ａ〜５１ｃ  ネット材
５２ａ，５２ｂ  ファスナー
５３ａ，５３ｂ  洗濯物収納部
【図１】
2007244793.tif 000003
【図２】
2007244793.tif 000004
【図３】
2007244793.tif 000005
【図４】
2007244793.tif 000006
【図５】
2007244793.tif 000007
【図６】
2007244793.tif 000008
【図７】
2007244793.tif 000009